(57)【要約】      （修正有）【課題】エアゾール剤の噴射量や噴射範囲をその用途に応じた最適のものに調整することができ、しかもエアゾール剤の噴射量や噴射範囲を非常に幅広く調整可能とした回転噴射エアゾール装置を提供する。【解決手段】ノズルステム２に取付体３を介して回転自在に連結され、このノズルステム２の流通路ｆ1 に連通する縦通路ｆ2 を有する支持部５ｃと、この支持部５ｃの縦通路ｆ2 に連通する横通路ｆ3 を有するアーム５ａと、さらにこの横通路ｆ3 の先端側に取り付けた噴射ノズル５ｂとからなる回転体５に、噴射調整機構７を設けたものとしている。【選択図】図１
2005186044.tif 000002
【特許請求の範囲】
【請求項１】
ノズルステム（２）に取付体（３）を介して回転自在に連結され、このノズルステム（２）の流通路（ｆ1 ）に連通する縦通路（ｆ2 ）を有する支持部（５ｃ）と、この支持部（５ｃ）の縦通路（ｆ2 ）に連通する横通路（ｆ3 ）を有するアーム（５ａ）と、さらにこの横通路（ｆ3 ）の先端側に取り付けた噴射ノズル（５ｂ）とからなる回転体（５）に、噴射調整機構（７）を設けたことを特徴とする回転噴射エアゾール装置。
【請求項２】
前記噴射調整機構（７）が、回転体（５）のアーム（５ａ）の横通路（ｆ3 ）に設けた横通路調整手段（８）であることを特徴とする請求項１記載の回転噴射エアゾール装置。
【請求項３】
前記噴射調整機構（７）が、回転体（５）の噴射ノズル（５ｂ）に設けたノズル孔調整手段（９）であることを特徴とする請求項１記載の回転噴射エアゾール装置。
【請求項４】
前記噴射調整機構（７）が、回転体（５）の回転速度調整手段（１０）であることを特徴とする請求項１記載の回転噴射エアゾール装置。
【発明の詳細な説明】
【技術分野】
【０００１】
この発明は、噴射の反動を利用してノズルを回転させながらエアゾール剤を噴射することのできる回転噴射エアゾール装置に関するものである。
【背景技術】
【０００２】
従来、この種の回転噴射エアゾール装置は、害虫の潜む床面等の比較的低位置に効果的に薬剤を散布するために、例えば図３２、３３に示したように、回転するアーム１０１の先端に設けたノズル１０２に、半径方向に向いた噴口１０３と、回転平面内のみにおいて回転円の接線方向への方向成分を有する噴口１０４とが設けられているものが存在する。（特許文献１）。
【特許文献１】特開平１１−５７５３７号公報（第１、２頁、図１〜４）
【発明の開示】
【発明が解決しようとする課題】
【０００３】
しかしながら、上記従来の回転噴射エアゾール装置は、噴射圧の高低差によってしか、エアゾール剤の噴射量や噴射範囲を調整することができず、その噴射圧に高低差をつけるといっても微妙な高低差をつけることは困難であり、エアゾール剤の噴射量や噴射範囲をその用途に応じた最適のものに調整するのは困難であるという問題点を有していた。
【０００４】
また、上記従来の回転噴射エアゾール装置は、噴射圧の高低差によってエアゾール剤の噴射量や噴射範囲を調整することができるといっても、その噴射圧の高低は安全性等の面から許容範囲が制限されており、エアゾール剤の噴射量や噴射範囲もその限られた範囲でしか調整することができないという問題点を有していた。
【０００５】
そこで、この発明は、上記従来の問題点を解決することをその課題としており、エアゾール剤の噴射量や噴射範囲をその用途に応じた最適のものに調整することができ、しかもエアゾール剤の噴射量や噴射範囲を非常に幅広く調整可能とした回転噴射エアゾール装置を提供することを目的としてなされたものである。
【課題を解決するための手段】
【０００６】
そのため、この発明は、ノズルステム２に取付体３を介して回転自在に連結され、このノズルステム２の流通路ｆ1 に連通する縦通路ｆ2 を有する支持部５ｃと、この支持部５ｃの縦通路ｆ2 に連通する横通路ｆ3 を有するアーム５ａと、さらにこの横通路ｆ3 の先端側に取り付けた噴射ノズル５ｂとからなる回転体５に、噴射調整機構７を設けたものとしている。
【０００７】
そして、この発明では、前記噴射調整機構７を、回転体５のアーム５ａの横通路ｆ3 に設けた横通路調整手段８とすることができる。
【０００８】
さらに、この発明では、前記噴射調整機構７を、回転体５の噴射ノズル５ｂに設けたノズル孔調整手段９とすることができる。
【０００９】
また、この発明では、前記噴射調整機構７を、回転体５の回転速度調整手段１０とすることができる。
【発明の効果】
【００１０】
この発明の回転噴射エアゾール装置は、以上に述べたように構成されているので、エアゾール剤の噴射量や噴射範囲をその用途に応じた最適のものに調整することができ、しかもエアゾール剤の噴射量や噴射範囲を非常に幅広く調整できるものとなった。
【発明を実施するための最良の形態】
【００１１】
以下、この発明の回転噴射エアゾール装置を実施するための最良の形態について詳細に説明する。
【００１２】
先ず、この発明の回転噴射エアゾール装置は、エアゾール缶１の上端に突き出しているノズルステム２に嵌装された取付体３に回転ヘッド４が取り付けられている。回転ヘッド４は取付体３に嵌入されている中央の回転体５とそのアーム５ａの先端に取り付けられた噴射ノズル５ｂから成っている。噴射ノズル５ｂには、回転平面内で接線方向に向いている噴口６ａを設け、必要に応じ回転体５の半径方向に向いている噴口６ｂを設けている。そして、前記回転体５は、ノズルステム２に取付体３を介して回転自在に連結され、このノズルステム２の流通路ｆ1 に連通する縦通路ｆ2 を有する支持部５ｃと、この支持部５ｃの縦通路ｆ2 に連通する横通路ｆ3 を有する前記アーム５ａと、さらにこの横通路ｆ3 の先端側に取り付けた前記噴射ノズル５ｂとからなる。そして、この回転体５には、噴射調整機構７を設けたものとしており、この噴射調整機構７は、後に述べるように、回転体５のアーム５ａの横通路ｆ3 に設けた横通路調整手段８としたり、回転体５の噴射ノズル５ｂに設けたノズル孔調整手段９としたり、回転体５の回転速度調整手段１０としている。なお、この発明の回転噴射エアゾール装置は、図１、２に示したものでは、噴射調整機構７をノズル孔調整手段９としており、噴射ノズル５ｂの噴口６ａを大径なものとし、噴射量を多くするようにしている。
【００１３】
前記回転噴射エアゾール装置を噴射状態にするには、図１の中心線Ｘ−Ｘの左側の状態から回転ヘッド４を押し下げて中心線Ｘ−Ｘの右側の状態にする。すなわち、回転ヘッド４と共に取付体３が押し下げられ、ノズルステム２も押し下げられ、噴射状態にすると共に、図示したように取付体３の係合部３ａがエアゾール缶１のマウント１ａに係合され、噴射状態を維持する。ノズルステム２の流通路ｆ1 から噴射された液体Ｌは、支持部５ｃの縦通路ｆ2 、アーム５ａの横通路ｆ3 を経て噴射ノズル５ｂに達する。噴射ノズル５ｂに半径方向の噴口６ｂを設けている場合には、この噴口６ｂから液体Ｌの一部が半径方向にまっすぐに噴射され、残りの液体Ｌは接線方向に向く噴口６ａから噴射されるので、回転体５が回転する。回転噴射されて霧状となった液体Ｌは、水平方向に広く、均一に噴射されることになる。
【００１４】
このような回転噴射エアゾール装置において、横通路調整手段８は、図３、４に示したような、回転体５の横通路ｆ3 に通路絞り体１１を設けたものとしている。このようにすることにより、噴射する液体Ｌの霧状粒子を細かくすることができる。
【００１５】
さらに、前記横通路調整手段８は、図５に示したような、回転体５の横通路ｆ3 の一部を蛇腹状にして折り曲げ自在にしたものとしている。このようにすることにより、噴射する液体Ｌの噴射方向を自由に変えることができる。
【００１６】
また、前記横通路調整手段８は、図６に示したような、回転体５の横通路ｆ3 を細くしたものとしたり、図７に示したような、回転体５の横通路ｆ3 を太くしたものとしている。このようにすることにより、噴射する液体Ｌの霧状粒子を細かくしたり、荒くすることができる。
【００１７】
さらに、前記横通路調整手段８は、図８に示したような、回転体５のアーム５ａを、内側挿入部１２ａを形成して、内径を徐々に小さくした複数の短筒体１２を着脱自在に連結してなるものとしている。このようにすることにより、噴射する液体Ｌの霧状粒子を細かくすることができる。なお、前記短筒体１２は、連結個数を変えることにより回転速度が変わるので、回転速度調整手段１０とすることもできる。
【００１８】
また、前記横通路調整手段８は、図９に示したような、回転体５の横通路ｆ3 の内壁に複数の螺旋溝１３を形成したものとしている。このようにすることにより、噴射する液体Ｌの霧状粒子を細かくすることができる。
【００１９】
さらに、前記横通路調整手段８は、図に示していないが、回転体５の横通路ｆ3 内に設けた突起や窪みとすることができる。このようにすることにより、噴射する液体Ｌの霧状粒子を細かくしたり、荒くすることができる。
【００２０】
次に、前記回転噴射エアゾール装置において、ノズル孔調整手段９は、図１０、１１に示したような、回転体５の噴射ノズル５ｂをアーム５ａに回転自在に設けたものとしている。このようにすることにより、液体Ｌの噴射方向を変えることができる。
【００２１】
さらに、前記ノズル孔調整手段９は、図１２、１３に示したような、回転体５の横通路ｆ3 の先端外周の周方向に設けた大径の孔１４と、回転体５の先端外周に回動自在に取り付けたキャップ体１５の外周に設けた口径の異なる複数の噴口１６（図に示したものは大径、中径、小径の噴口としている）との位置合わせによる噴射ノズル５ｂとしている。このようにすることにより、噴射する液体Ｌは噴口１６の口径に応じた噴射量とすることができる。
【００２２】
また、前記ノズル孔調整手段９は、図１４に示したような、回転体５の横通路ｆ3 の先端外周に回動自在として設けられ、この横通路ｆ3 と選択的に連通する複数の流通孔１７ａを有する球体１７からなる噴射ノズル５ｂとしている。このようにすることにより、液体Ｌの噴射方向を変えることができる。
【００２３】
さらに、前記ノズル孔調整手段９は、図１５に示したような、回転体５の横通路ｆ3 の先端に取り付けられ、この横通路ｆ3 と選択的に連通する複数の流通孔１７ａを有する球体１７を回動自在として保持した噴射ノズル５ｂとしている。このようにすることにより、液体Ｌの噴射方向を変えることができる。
【００２４】
また、前記ノズル孔調整手段９は、図１６に示したような、回転体５の横通路ｆ3 の先端外周に設けられ、この横通路ｆ3 と連通する流通孔１８ａを有する変形自在管１８からなる噴射ノズル５ｂとしている。このようにすることにより、液体Ｌの噴射方向を変えることができる。
【００２５】
さらに、前記ノズル孔調整手段９は、図１７に示したような、回転体５の横通路ｆ3 の先端外周に長さ方向に設けられた複数の噴口１９を選択的に開閉するようにして、回転体５の長さ方向に摺動自在に取り付けられた摺動筒体２０としている。このようにすることにより、液体Ｌの噴射量を変えることができる。
【００２６】
また、前記ノズル孔調整手段９は、図１８のａ、ｂに示したような、回転体５の横通路ｆ3 の先端外周に周方向に設けられた複数の噴口２１を選択的に開閉するようにして、回転体５の周方向に摺動自在に取り付けられた摺動筒体２２としている。このようにすることにより、液体Ｌの噴射量を変えることができる。
【００２７】
さらに、前記ノズル孔調整手段９は、図１９に示したような、孔径の相違する噴口２１ａ、２１ｂ、２１ｃをそれぞれに形成した複数のシ−ト材２４を剥離可能に貼り合わせた噴射ノズル５ｂとしている。このようにすることにより、液体Ｌの噴射量を変えることができる。
【００２８】
また、前記回転噴射エアゾール装置において、回転速度調整手段１０は、図２０のａ〜ｄに示したような、回転体５の先端外周にそれぞれ噴口２１が連通するようにして回転体５の長さ方向に摺動自在に取り付けられ、複数を重ね合わてなるキャップ体２６としている。このようにすることにより、前記キャップ体２６を外したり、伸ばしたりすることにより、回転体５の回転速度を変えて、液体Ｌの噴射範囲を変えることができる。
【００２９】
さらに、前記回転速度調整手段１０は、図２１のａ、ｂに示したような、噴射ノズル５ｂの長さを変えたものとしている。このようにすることにより、前記噴射ノズル５ｂを長くすれば回転体５の回転速度が遅くなり、噴射ノズル５ｂを短くすれば回転体５の回転速度が速くなるので、液体Ｌの噴射範囲を変えることができる。
【００３０】
また、前記回転速度調整手段１０は、図２２に示したような、回転体５のアーム５ａの一部を蛇腹状にして、このアーム５ａを伸縮自在なものとしている。このようにすることにより、前記アーム５ａを長くすれば回転体５の回転速度が遅くなり、噴射ノズル５ｂを短くすれば回転体５の回転速度が速くなるので、液体Ｌの噴射範囲を変えることができる。
【００３１】
さらに、前記回転速度調整手段１０は、図２３に示したような、回転体５のアーム５ａに、着脱自在として取り付けた複数の荷重付与体２７であるものとしている。このようにすることにより、前記荷重付与体２７の取り付け個数を多くすれば回転体５の回転速度が遅くなり、荷重付与体２７の取り付け個数を少なくすれば回転体５の回転速度が速くなるので、液体Ｌの噴射範囲を変えることができる。
【００３２】
また、前記回転速度調整手段１０は、図２４ａに示したような、回転体５のアーム５ａを上下に平行にして複数本設けたものとしたり、図２４ｂに示したような、回転体５のアーム５ａを上下に交差するようにして複数本設けたものとしている。このようにすることにより、液体Ｌの噴射量や噴射範囲を変えることができる。
【００３３】
さらに、前記回転速度調整手段１０は、図２５に示したような、回転体５のアーム５ａを十字状にしたものとしている。このようにすることにより、液体Ｌの噴射量や噴射範囲を変えることができる。
【００３４】
また、前記回転速度調整手段１０は、図２６に示したような、回転体５のアーム５ａを水平状態から傾斜させたものとしている。このようにすることにより、液体Ｌの噴射範囲を変えることができる。
【００３５】
さらに、前記回転速度調整手段１０は、図２７に示したような、回転体５のアーム５ａを均等な間隔をあけて三方に配したものとしている。このようにすることにより、液体Ｌの噴射量や噴射範囲を変えることができる。
【００３６】
また、前記回転速度調整手段１０は、図２８に示したような、回転体５の支持部５ｃをベアリング２８で支持したものとしている。このようにすることにより、回転体５の回転がスムーズとなり回転速度が速くなるので、液体Ｌの噴射範囲を変えることができる。
【００３７】
さらに、前記回転速度調整手段１０は、図２９に示したような、回転体５のアーム５ａを空気抵抗の小さい形状にしたものとしている。このようにすることにより、回転体５の回転がスムーズとなり回転速度が速くなるので、液体Ｌの噴射範囲を変えることができる。
【００３８】
また、前記回転速度調整手段１０は、図３０に示したような、回転体５のアーム５ａの平面形状を略Ｖ字状にしたものとしたり、図３１に示したような、回転体５のアーム５ａの平面形状を略Ｕ字状にしたものとしている。このようにすることにより、回転体５の回転速度が変わるので、液体Ｌの噴射範囲を変えることができる。
【００３９】
さらに、前記回転速度調整手段１０は、図に示していないが、回転体５を比重の小さい素材で作製したり、回転体５をを可撓性材で作製したり、また回転体５の形状を波形等の色々な形状にしたものとすることができる。このようにすることにより、液体Ｌの噴射量や噴射範囲を変えることができる。
【００４０】
なお、この発明の回転噴射エアゾール装置は、前記回転体５に、夜光塗料を塗布したり、ラメやガラス粉を固着したり、偏光フィルムは貼り付けたり、前記回転体５を偏光ガラスで作製したりして、装飾性に富んだものとすることができる。
【図面の簡単な説明】
【００４１】
【図１】この発明の回転噴射エアゾール装置の第１実施形態の垂直断面図である。
【図２】この発明の回転噴射エアゾール装置の第１実施形態の回転体の水平断面図である。
【図３】この発明の回転噴射エアゾール装置の第２実施形態の回転体の水平断面図である。
【図４】この発明の回転噴射エアゾール装置の第２実施形態の回転体の垂直断面図である。
【図５】この発明の回転噴射エアゾール装置の第３実施形態の回転体の一部を破断した平面図である。
【図６】この発明の回転噴射エアゾール装置の第４実施形態の回転体の垂直断面図である。
【図７】この発明の回転噴射エアゾール装置の第５実施形態の回転体の垂直断面図である。
【図８】この発明の回転噴射エアゾール装置の第６実施形態の回転体の先端部の水平断面図である。
【図９】この発明の回転噴射エアゾール装置の第７実施形態の回転体の水平断面図である。
【図１０】この発明の回転噴射エアゾール装置の第８実施形態の回転体の水平断面図である。
【図１１】この発明の回転噴射エアゾール装置の第８実施形態の回転体の垂直断面図である。
【図１２】この発明の回転噴射エアゾール装置の第９実施形態の回転体の一部分解側面図である。
【図１３】この発明の回転噴射エアゾール装置の第９実施形態の回転体の水平断面図である。
【図１４】この発明の回転噴射エアゾール装置の第１０実施形態の回転体の水平断面図である。
【図１５】この発明の回転噴射エアゾール装置の第１１実施形態の回転体の水平断面図である。
【図１６】この発明の回転噴射エアゾール装置の第１２実施形態の回転体の水平断面図である。
【図１７】この発明の回転噴射エアゾール装置の第１３実施形態の回転体の水平断面図である。
【図１８ａ】この発明の回転噴射エアゾール装置の第１４実施形態の回転体の水平断面図である。
【図１８ｂ】図１８ａ中のＡ−Ａ線による断面図である。
【図１９】この発明の回転噴射エアゾール装置の第１５実施形態の回転体の一部分解水平断面図である。
【図２０ａ】この発明の回転噴射エアゾール装置の第１６実施形態の回転体の略半部の水平断面図である。
【図２０ｂ】図２０ａに示した回転体を一段階伸ばした状態の水平断面図である。
【図２０ｃ】図２０ａに示した回転体を二段階伸ばした状態の水平断面図である。
【図２０ｄ】図２０ａに示した回転体を三段階伸ばした状態の水平断面図である。
【図２１ａ】この発明の回転噴射エアゾール装置の第１７実施形態の回転体の略半部の水平断面図である。
【図２１ｂ】この発明の回転噴射エアゾール装置の第１８実施形態の回転体の略半部の水平断面図である。
【図２２】この発明の回転噴射エアゾール装置の第１９実施形態の回転体の先端部の水平断面図である。
【図２３】この発明の回転噴射エアゾール装置の第２０実施形態の回転体の垂直断面図である。
【図２４ａ】この発明の回転噴射エアゾール装置の第２１実施形態の回転体の斜視図である。
【図２４ｂ】この発明の回転噴射エアゾール装置の第２２実施形態の回転体の斜視図である。
【図２５】この発明の回転噴射エアゾール装置の第２３実施形態の回転体の平面図である。
【図２６】この発明の回転噴射エアゾール装置の第２４実施形態の回転体の側面図である。
【図２７】この発明の回転噴射エアゾール装置の第２５実施形態の回転体の平面図である。
【図２８】この発明の回転噴射エアゾール装置の第２６実施形態の回転体の支持部近辺の垂直断面図である。
【図２９】この発明の回転噴射エアゾール装置の第２７実施形態の回転体の斜視図である。
【図３０】この発明の回転噴射エアゾール装置の第２８実施形態の回転体の斜視図である。
【図３１】この発明の回転噴射エアゾール装置の第２９実施形態の回転体の斜視図である。
【図３２】従来の回転噴射エアゾール装置の垂直断面図である。
【図３３】従来の回転噴射エアゾール装置の回転体の水平断面図である。
【符号の説明】
【００４２】
２  ノズルステム
３  取付体
５  回転体
５ａ  アーム
５ｂ  噴射ノズル
５ｃ  支持部
７  噴射調整機構
８  横通路調整手段
９  ノズル孔調整手段
１０  回転速度調整手段
ｆ1   流通路
ｆ2   縦通路
ｆ3   横通路
【図１】
2005186044.tif 000003
【図２】
2005186044.tif 000004
【図３】
2005186044.tif 000005
【図４】
2005186044.tif 000006
【図５】
2005186044.tif 000007
【図６】
2005186044.tif 000008
【図７】
2005186044.tif 000009
【図８】
2005186044.tif 000010
【図９】
2005186044.tif 000011
【図１０】
2005186044.tif 000012
【図１１】
2005186044.tif 000013
【図１２】
2005186044.tif 000014
【図１３】
2005186044.tif 000015
【図１４】
2005186044.tif 000016
【図１５】
2005186044.tif 000017
【図１６】
2005186044.tif 000018
【図１７】
2005186044.tif 000019
【図１８ａ】
2005186044.tif 000020
【図１８ｂ】
2005186044.tif 000021
【図１９】
2005186044.tif 000022
【図２０ａ】
2005186044.tif 000023
【図２０ｂ】
2005186044.tif 000024
【図２０ｃ】
2005186044.tif 000025
【図２０ｄ】
2005186044.tif 000026
【図２１ａ】
2005186044.tif 000027
【図２１ｂ】
2005186044.tif 000028
【図２２】
2005186044.tif 000029
【図２３】
2005186044.tif 000030
【図２４ａ】
2005186044.tif 000031
【図２４ｂ】
2005186044.tif 000032
【図２５】
2005186044.tif 000033
【図２６】
2005186044.tif 000034
【図２７】
2005186044.tif 000035
【図２８】
2005186044.tif 000036
【図２９】
2005186044.tif 000037
【図３０】
2005186044.tif 000038
【図３１】
2005186044.tif 000039
【図３２】
2005186044.tif 000040
【図３３】
2005186044.tif 000041